(57)【要約】【目的】本発明は、競技等の検索を行なう情報検索方法および情報検索プログラムに関し、ファンが競技等を特定する情報、影響を与える情報、達成条件を指定して検索し予想結果を表示および実績をもとに達成条件の的中率を表示したりすることを目的とする。【構成】競技等を特定する情報、競技等に影響を与える情報、および達成条件を入力させるステップと、入力された競技等を特定する情報および競技等に影響を与える情報をもとに、予め作成したデータベースから入力された競技等を特定する情報および競技等に影響を与える情報を１つ以上もつエントリを全て検索するステップと、検索した全てのエントリのうち、競技等を特定する情報および競技等に影響を与える情報の両者を満たし、かつ達成条件を満たす競技等を判定するステップと、判定した競技等を提示するステップとを有する。【選択図】        図１
2007286874.tif 000002
【特許請求の範囲】
【請求項１】
競技等の検索を行なう情報検索方法において、
競技等を特定する情報、競技等に影響を与える情報、および達成条件を入力させるステップと、
前記入力された競技等を特定する情報および競技等に影響を与える情報をもとに、予め作成したデータベースから当該入力された競技等を特定する情報および競技等に影響を与える情報を１つ以上もつエントリを全て検索するステップと、
前記検索した全てのエントリのうち、前記競技等を特定する情報および競技等に影響を与える情報の両者を満たし、かつ前記達成条件を満たす競技等を判定するステップと、
前記判定した競技等を提示するステップと
を有する情報検索方法。
【請求項２】
前記競技等を特定する情報、競技等に影響を与える情報、および達成条件を、それぞれ１つあるいは複数の情報とし、複数の情報としたときは当該複数の情報のうちの１つでも満たしたときに当該競技等を特定する情報、競技等に影響を与える情報あるいは達成条件を満たすとすることを特徴とする請求項１記載の情報検索方法。
【請求項３】
更に、提示させるときの結果情報を入力させ、前記判定された競技等が当該結果情報を満たしたときに、前記判定した競技等を提示することを特徴とする請求項１あるいは請求項２記載の情報検索方法。
【請求項４】
前記競技等の結果が判明した後、当該判明した結果を含む過去の実績をもとに、前記競技等を特定する情報、競技等に影響を与える情報、および達成条件の的中率を算出するステップと、
前記算出した的中率を提示するステップと
を有する請求項１から請求項３のいずれかに記載の情報検索方法。
【請求項５】
コンピュータに、
競技等を特定する情報、競技等に影響を与える情報、および達成条件を入力させるステップと、
前記入力された競技等を特定する情報および競技等に影響を与える情報をもとに、予め作成したデータベースから当該入力された競技等を特定する情報および競技等に影響を与える情報を１つ以上もつエントリを全て検索するステップと、
前記検索した全てのエントリのうち、前記競技等を特定する情報および競技等に影響を与える情報の両者を満たし、かつ前記達成条件を満たす競技等を判定するステップと、
前記判定した競技等を提示するステップと
して機能させるための情報検索プログラム。
【発明の詳細な説明】
【技術分野】
【０００１】
本発明は、競技等の検索を行なう情報検索方法および情報検索プログラムに関するものである。
【背景技術】
【０００２】
従来、競輪などの競技では、自場での競技は掲示板を見て判明するが、他場での競技は新聞などを見て判断したり、更に、ファンが指定する条件で検索して該当する競技を行なっている他場の競技を提示する技術がある（特許文献１参照）。
【特許文献１】特開２００４−３３４４０４号公報
【発明の開示】
【発明が解決しようとする課題】
【０００３】
しかし、従来の技術では、ファンが指定した選手名などの競技を一意に特定する条件を指定し、該当する競技を行なっている場などを表示するものであり、競技を直接に特定しないが競技に影響を与える気象、風速、風向きなどの情報をもとに検索して指定条件に合致したときに表示したりできず、興味を持った情報での検索、更に、指定した達成条件を満たしたときに通知したりなどできないという問題があった。
【課題を解決するための手段】
【０００４】
本発明は、これらの問題を解決するため、競技等を特定する情報、影響を与える情報、および達成条件をもとに検索し当該達成条件を満たしたときに予想結果を通知したり、更に、結果が出たときに実績をもとに達成条件の的中率を通知したりするようにしている。
【発明の効果】
【０００５】
本発明は、競技等を特定する情報、影響を与える情報、および達成条件をもとに検索し当該達成条件を満たしたときに予想結果を通知したり、更に、結果が出たときに実績をもとに達成条件の的中率を通知したりすることにより、ファンが競技等を特定する情報、影響を与える情報、達成条件を指定して検索し予想結果を表示および実績をもとに達成条件の的中率を表示したりすることが可能となる。
【発明を実施するための最良の形態】
【０００６】
本発明は、競技等を特定する情報、影響を与える情報、および達成条件をもとに検索し当該達成条件を満たしたときに予想結果を通知したり、更に、結果が出たときに実績をもとに達成条件の的中率を通知し、ファンが競技等を特定する情報、影響を与える情報、達成条件を指定して検索し予想結果を表示および実績をもとに達成条件の的中率を表示したりすることを実現した。
【実施例１】
【０００７】
図１は、本発明のシステム構成図を示す。
図１において、サーバ１は、プログラムに従い、情報ＤＢ７を検索してその結果を画面上に表示するものであって、ここでは、条件指定手段２、結果指定手段３、予想判定手段４、結果判定手段５、通知手段６、および情報ＤＢ７などから構成されるものである。
【０００８】
条件指定手段２は、競技等を特定する情報（条件）、競技等に影響を与える情報（条件）、および達成条件などを指定するものであって、ここでは、後述ずる図２の（ａ）、（ｂ）の画面上でファンに競技等を特定する情報（条件）および競技等に影響を与える情報（条件）を指定させたり、図２の（ｃ）の画面上でファンに達成条件を入力させて指定させたりなどするものである。
【０００９】
結果指定手段３は、条件指定手段２で指定された競技等を特定する情報、競技等に影響を与える情報、達成条件をもとに情報ＤＢ７を検索した結果を、表示（通知）させる条件（結果条件）を指定させるものであって、ここでは、後述する図２の（ｄ）の画面上でファンに結果条件を入力させて指定させるものである。
【００１０】
予想判定手段４は、条件指定手段２によって指定された競技等を特定する情報および競技等に影響を与える情報を満たすエントリを情報ＤＢ７中から全て検索し、全てのエントリ中で、競技等を特定する情報および競技等に影響を与える情報の両者を満たす確率を算出して判定するものである。
【００１１】
結果判定手段５は、競技等が終了したときに、当該終了した競技等の結果を含んだ過去の実績をもとに、指定された競技等を特定する条件（情報）および競技等に影響を与える条件（情報）の的中率を算出して判定するものである。
【００１２】
通知手段６は、予想判定結果、結果判定結果をファンに通知（例えば電子メールで通知、ファンのページに掲載）するものである。
【００１３】
情報ＤＢ７は、競技等を特定する条件（情報、項目）、競技等に影響を与える条件（情報、項目）など予め登録したデータベースであって、ここで、競輪の場合には、選手テーブル８、レーステーブル９、条件テーブル１０、結果テーブル１１、完成テーブル１２、予想通知画面１３、信頼性画面１４などから構成されるものである（図２、図３参照）。
【００１４】
選手テーブル８は、選手の各種情報を予め登録したものである（図３の選手テーブル８参照）。
【００１５】
レーステーブル９は、競輪のレースの各種情報を予め登録したものである（図３のレーステーブル９参照）。
【００１６】
条件テーブル１０は、ファンに指定された達成条件を登録するものである（図３の条件テーブル１０参照）。
【００１７】
結果テーブル１１は、ファンに予想結果を通知する条件を登録するものである（図２の（ｄ）参照）。
【００１８】
完成テーブル１２は、指定された競技等を特定する条件、競技等に影響を与える条件、および達成条件などを登録するものである（図２の（ｅ）参照）。
【００１９】
予想通知画面１３は、指定された競技等を特定する条件、競技等に影響を与える条件をもとに情報ＤＢ７を検索し、その予想率を表示する画面である（図２の（ｆ）参照）。
【００２０】
信頼性画面１４は、競技等の終了後に、当該終了した競技等の結果を含んだ過去の実績をもとに、指定された競技等を特定する条件、競技等に影響を与える条件などの的中率を算出して表示する画面である（図２の（ｇ）参照）。
【００２１】
パソコン２１は、ファンが操作してネットワーク２３を介してサーバ１に接続し、競技等を特定する条件、競技等に影響を与える条件、達成条件、および結果情報などを入力したり、その予想結果画面、信頼性画面をダウンロードして表示させるための端末であって、ここでは、ブラウザ２２などから構成されるものである。
【００２２】
ネットワーク２３は、複数のパソコン２１とサーバ１とを相互にデータ通信させるネットワークである。
【００２３】
次に、図２の順番に従い、図１の構成の動作を詳細に説明する。以下の例は、競技等として競輪を例に説明する。
【００２４】
図２は、本発明の説明図を示す。
図２の（ａ）は、選手テーブル８から選手を選択（指定）する画面例を示す。図示の画面は、後述する図３の情報ＤＢ７中の選手テーブル８から選手を選択するための画面例であって、ここでは、図示の下記の情報を入力して選手を指定するものであり、競技等に影響を与える情報（条件）および競技等を特定する情報（条件）を指定する例である。
【００２５】
・府県：青森
・期別：５０期
・級班：Ｓ級１班
・・・
ここで、府県は選手を特定する府県情報であって、例えば青森である。期別は選手がいずれの期の卒業生かの区別であって、例えば５０期である。級班は選手が持つおよび所属する級と班である。同様に、選手に関する情報を予め図３の選手テーブル８に登録しておき、図示のように固定表示して入力欄にファンがキー入力（あるいは固定表示項目一覧から選択して表示させた入力欄にキー入力）し、選手の情報（条件）を指定する。ここで、１つあるいは複数の選手の情報を入力（指定）が可であって、後述する検索時には、複数の選手の情報を入力（指定）した場合には、ＯＲ検索する（選手の指定した複数の情報のうちの１つでも一致したときは当該選手の指定された情報を満たしたとして検索出力する）。
【００２６】
図２の（ｂ）は、レーステーブル９からレースを選択（指定）する画面例を示す。図示の画面は、後述する情報ＤＢ７中のレーステーブル９からレースを選択するための画面例であって、ここでは、図示の下記の情報を入力してレースを指定するものであり、競技等を特定する情報（条件）および競技等に影響を与える情報（条件）を指定する例である。
【００２７】
・天候：雨
・競輪場：函館
・グレー：ＧＰ
・・・
ここで、天候は競輪場で指定された場所の天候を入力する欄であって、例えば雨を入力した例である。競輪場，グレーは競輪を開催する場所、グレーの種別を入力したものである。
【００２８】
図２の（ｃ）は、条件テーブル１０に達成条件を指定する画面例を示す。図示の画面は、後述する情報ＤＢ７中の条件テーブル１０に達成条件を設定するための画面例であって、ここでは、図示の下記の情報を入力して設定するものである。
【００２９】
・達成条件：５０％以上
ここで、達成条件は、図２の（ａ）と（ｂ）で指定された情報（条件）をもとに情報ＤＢ７を検索し、そのときの予想率が当該達成条件を満たすときに、ファンにその検索結果を通知などするためのものである。
【００３０】
図２の（ｄ）は、結果テーブル１１の画面例を示す。図示の画面は、図２の（ｃ）の条件テーブル１０で指定された達成条件を満たすもののうち、結果通知する条件を指定するものであって、ここでは、図示の下記の条件（情報）を指定する。
【００３１】
・結果設定：１着になる。
ここで、結果設定は、図２の（ｃ）の達成条件を満たしたもののうち、結果を通知する条件（情報）を設定するものであって、ここでは、１着になったときに当該１着の情報をファンに通知するためのものである。
【００３２】
図２の（ｅ）は、完成テーブル１２の画面例を示す。図示の画面は、図２の（ａ）、（ｂ）、（ｃ）、（ｄ）で指定された情報（条件）をまとめた画面の例を示す。ここでは、図示の下記のようになる
（ａ）の条件：
・府県：青森
・期別：５０期
・級班：Ｓ級１班
・・・
（ｂ）の条件：
・天候：雨
・競輪場：函館
・グレード：ＧＰ
・・・
（ａ）と（ｂ）の達成条件：
・５０％以上の予想結果：１着になる
図２の（ｆ）は、予想通知画面の例を示す。図示の画面は、図２の（ｅ）の完成テーブル１２の画面上に表示された条件を満たした予想結果を、ファンに通知するための画面であって、ここでは、図示の下記の情報を表示したものである。
【００３３】
・ユーザ００１さんへお知らせ
１２／１  函館競輪場１１Ｒ
（ａ）（ｂ）の達成条件が５０％を超えました。
【００３４】
（      ）枚
〔投票ボタン〕
ここで、「ユーザ００１さんへお知らせ」は、既述した図２の（ａ）から（ｄ）の画面上で入力して指定したユーザ００１さんへ、検索結果を通知するための前文である。「１２／１  函館競輪場１１Ｒ  （ａ）（ｂ）の達成条件が５０％を超えました。」はユーザ００１さんが、図１のパソコン２１を操作し、図２の（ａ）、（ｂ），（ｃ），（ｄ）の画面で指定した条件を満たした競技等の予想結果として、「函館競輪場１１Ｒ」を通知するための画面の例である。そして、枚数欄に枚数を入力し、投票ボタンを押下すると、当該「函館競輪場１１Ｒ」の投票券を購入（投票）することが可能となる。
【００３５】
図２の（ｇ）は、信頼性画面の例を示す。図示の画面は、図２の（ｅ）の完成テーブル１２の画面上に表示された条件を満たした予想結果のレースが終了した後、当該レース結果を含めた過去の実績をもとに、図２の（ａ），（ｂ）、（ｃ），（ｄ）で指定した条件（情報）の実際の的中率を算出し、ファンに通知するための画面であって、ここでは、図示の下記の情報を表示したものである。
【００３６】
・ユーザ００１さんへお知らせ
１／１〜１２／１までの実績：
・対象：１０００件
・的中：  ５００件
・条件（ａ），（ｂ），（ｃ）の的中率：５０％
ここで、「ユーザ００１さんへお知らせ」は、既述した図２の（ａ）から（ｄ）の画面上で入力して指定したユーザ００１さんへ、的中率結果を通知するための前文である。「１／１〜１２／１までの実績：  対象１０００件、的中５００件、条件（ａ），（ｂ），（ｃ）の的中率５０％」はユーザ００１さんが、図１のパソコン２１を操作し、図２の（ａ）、（ｂ），（ｃ），（ｄ）の画面で指定した条件を満たした競技等の予想結果に対する実績結果として、「的中率５０％」を通知するための画面の例である。
【００３７】
図３は、本発明の情報ＤＢ例を示す。情報ＤＢ７は、既述した図１の情報ＤＢ７であって、実際の情報ＤＢ７の一部を切り出したものであり、選手テーブル８、レーステーブル９、条件テーブル１０、および図示外の結果テーブル１１（図２の（ｄ）参照）、完成テーブル１２（図２の（ｅ）参照）、予想通知画面１３（図２の（ｆ）参照）、および信頼性画面１４（図２の（ｇ）参照）の例を示す。
【００３８】
図３において、選手テーブル８は、カテゴリ（固定）に対応づけて複数の選択項目を予め登録したものであって、対象選手の情報、成績などを登録したものである。例えばカテゴリには、登録番号、府県、期別、級班名称、生年月日、今期得点、購買、九星などの項目を設ける。選択項目は、ファンが選択して指定する項目を予め設定したものである（図２の（ａ）参照）。
【００３９】
レーステーブル９は、同様に、カテゴリ（固定）に対応づけて複数の選択項目を予め登録したものであって、自然条件（天候、風速、風向など）、競輪場条件（競輪場、バンクなど）、レース条件（グレード、レース種別など）、出場選手との因果関係（練習仲間、ライバル、天敵など）を登録する（図２の（ｂ）参照）。
【００４０】
条件テーブル１０は、同様に、カテゴリ（固定）に対応づけて複数の選択綱目を予め登録したものであって、対象期間（半期、４半期、季節、年月日など）、達成条件（何％条件をした該当とみなすなど）を登録する（図２の（ｃ）参照）。
【００４１】
結果テーブル１１は、検索結果の通知する条件を設定するものであって、検索結果がどのようになる（１着、消し、連対など）を登録する（図２の（ｄ）参照）。
【００４２】
尚、実施例では、競輪について説明したが、これに限られることなく、
・競馬、オートレース、競艇など
・更に、株（株価決定情報（銘柄）、株価に影響を与える情報（資本金、配当、社長交代、知名度、印象、出来高など）
にも適用し得るものである。
【産業上の利用可能性】
【００４３】
本発明は、競技等を特定する情報、影響を与える情報、および達成条件をもとに検索し当該達成条件を満たしたときに予想結果を通知したり、更に、結果が出たときに実績をもとに達成条件の的中率を通知し、ファンが競技等を特定する情報、影響を与える情報、達成条件を指定して検索し予想結果を表示および実績をもとに達成条件の的中率を表示したりする情報検索方法および情報検索プログラムに関するものである。
【図面の簡単な説明】
【００４４】
【図１】本発明のシステム構成図である。
【図２】本発明の説明図である。
【図３】本発明の情報ＤＢ例である。
【符号の説明】
【００４５】
１：サーバ
２：条件指定手段
３：結果指定手段
４：予想判定手段
５：結果判定手段
６：通知手段
７：情報ＤＢ
８：選手テーブル
９：レーステーブル
１０：条件テーブル
１１：結果テーブル
１２：完成テーブル
１３：予想通知画面
１４：信頼性画面
２１：パソコン
２２：ブラウザ
２３：ネットワーク
【図１】
2007286874.tif 000003
【図２】
2007286874.tif 000004
【図３】
2007286874.tif 000005